(57)【要約】　　　（修正有）【課題】既築の建築物に対して、外観を損なうことなく外気導入機能を追加する。【解決手段】換気装置増設方法であって、既築建物の一階床の比較的中心位置に、建物内部空間と床下空間を連通する通気孔を穿孔し、次いで電動ファンを内蔵し、下面から外気を導入し、内蔵したフィルタを介して側面の吹出しグリルから供給する換気キャビネットを通気孔を設けた一階床上に取付けることを特徴としている。また、換気キャビネットは既建築物の居室空間に取り付けるものとし、居室空間と廊下、階段室、玄関ホール等の共用空間を仕切る間仕切壁に貫通孔を穿孔し、次いで一対の吹出グリルを装備した換気キャビネットの一方の吹出グリルを貫通孔に装着する。【選択図】図１
2004060993.tif 000002
【特許請求の範囲】
【請求項１】
既築の建築物に対して、外気導入機能を追加する換気装置増設方法であって、既築建物の一階床の比較的中心位置に、建物内部空間と床下空間を連通する通気孔を穿孔し、次いで電動ファンを内蔵し、下面から外気を導入し、内蔵したフィルタを介して側面の吹出しグリルから供給する換気キャビネットを前記通気孔を設けた一階床面上に取付けることを特徴とする換気装置増設方法。
【請求項２】
前記換気キャビネットは既築建物の居室空間に取付けるものとし、該居室空間と廊下、階段室、玄関ホール等の共用空間を仕切る間仕切壁に貫通孔を穿孔し、次いで一対の吹出しグリルを装備した換気キャビネットの一方の吹出しグリルを貫通孔に装着する工程を含むことを特徴とする請求項１記載の換気装置増設方法。
【請求項３】
一階床に通気孔を穿孔した後、既築建物の既設の基礎換気孔から導入される空気を一階床の通気孔に送る空気ダクトを一階床下空間に配設することを特徴とする請求項１又は２記載の換気装置増設方法。
【発明の詳細な説明】
【０００１】
【発明の属する技術分野】
本発明は、既築の建築物に対して、外気導入機能を追加する際に使用する換気装置増設方法に関する。
【０００２】
【従来の技術】
従来、例えば住宅建築物において居住者数の増加や部屋の用途変更に伴う換気量不足を補う等の為、既築の建築物に対して外気導入機能を付加する際には、外壁に貫通孔を穿孔して、換気ファンを取付ける方法が一般に行われている。
【０００３】
【発明が解決しようとする課題】
外壁に換気装置を設ける場合、新築建築物においては、設計段階で各種建築要素を計画的に配置することで、外観を損なうことなく、必要な位置に外気導入を図ることが可能である。しかしながら、既設建築物に対して、外気導入機能を追加する場合には窓、出入り口等開口部が既に形成されていることから、換気ファンを取付ける箇所が限られ、更には耐力壁の位置する箇所或いは壁内に電気導線、電話線、水道配管等が埋設されているとその箇所を避ける必要があり、取付位置が極めて大きく制約される。従って、これら様々な条件の為、換気効率からは好ましくない位置に換気ファンを取り付ける場合が多い。
【０００４】
また、既築建築物の外観が落ち着いた外壁面に取り付けられた新規の換気装置は、大変目を引くこととなり、建物の外観を損なうことが多い。更に前記の如く、取付位置が極めて大きく制約される為、例えば玄関横や、通りに面した外壁に設ける場合には、外観を大きく損なうことになる。
【０００５】
さらに、外壁に換気ファンを取付て外気導入を行うと、外気が供給される位置が外壁近傍に限られ、建築物内部空間全体への外気供給がなされず、特に建築物の中心部分への外気供給が困難となる。
【０００６】
このような問題を解決するために、建築物の内部空間に空気ダクトを配設して、建築物の中心部分への外気供給を図ることなども考えられるが、空気ダクトが露呈して建築物内部空間の外観を損ねるとともに、内部スペースが制約を受けることになる。そのため更には、天井裏に空気ダクトを配設することも考えられるが、天井仕上げを一旦取り外す必要があり、工事日数とコストが増大するという問題がある。
【０００７】
本発明は、以上のような問題点に鑑み案出なされたもので、既築建築物に対しその外観の毀損を招くことなく、その内部空間へ有効な外気導入をなし得る換気装置増設方法を提供することを目的としている。
【０００８】
【課題を解決するための手段】
本発明のうち請求項１記載の発明は、既築の建築物に対して、外気導入機能を追加する換気装置増設方法であって、既築建物の一階床の比較的中心位置に、建物内部空間と外気を連通する通気孔を穿孔し、次いで電動ファンを内蔵し、下面から床下空気を導入し、内蔵したフィルタを介して側面の吹出しグリルから供給する換気キャビネットを前記通気孔を設けた一階床上に取付けることを特徴としている。この方法の採用により、既築の建築物の換気を必要とする任意位置に外気の導入を図ることが可能であり、建築物の比較的中心位置からの換気であることと相俟って効率の高い換気が得られる。従来の外壁への換気ファンの増設と違い、既築建築物の外観を損なうことがなく、工事も比較的容易になしえ、工事日数とコストも低減し得る。
【０００９】
また請求項２記載の発明は、換気キャビネットは既築建物の居室空間に取付けるものとし、該居室空間と廊下、階段室、玄関ホール等の共用空間を仕切る間仕切壁に貫通孔を穿孔し、次いで一対の吹出しグリルを装備した換気キャビネットの一方の吹出しグリルを貫通孔に装着する工程を含むことを特徴とする請求項１記載の換気装置増設方法である。この方法の採用により、特定の居室空間への外気導入に加えて、既築建物全体を空間的に結ぶ共用空間への外気導入が同時に可能となり、共用空間を介して各個別空間へ外気が全体的に循環する換気システムが得られる。
【００１０】
また請求項３記載の発明は、一階床に通気孔を穿孔した後、既築建物の既設の基礎換気孔から導入される空気を一階床の通気孔に送る空気ダクトを一階床下空間に配設することを特徴とする請求項１又は２記載の換気装置増設方法である。この方法の採用により、必ずしも清浄ではない床下環境内の空気を建物空間内に導入すること防止して外気を直接導入することが可能となり、また既設の基礎換気孔を介して給気するものであるため、基礎に対する換気孔穿孔が不要となり、工事が容易になしえる。
【００１１】
【発明の実施の形態】
以下本発明の実施の一形態を図面に基づき説明する。
既築建物１は、木造、鉄骨造、コンクリート造等全ての構造形式を採用でき、又住居、店舗、事務所、工場等その用途も問わない。但し床下空間４を利用して外気導入機能を追加する方法であるため、スラブ自体を一階床２とする構造の既築建物１には適用できない。更には、平屋構造で有っても、或いは２以上の階層を有する複数階層の建築物であっても良い。尚図１に示す実施例では、２階建の住居からなり、階段室３１及びこれに連続する二階廊下３２からなる共用空間１１を間に挟んで、一階に一対の居室３３、３４と二階に一対の居室３５、３６を具えた既築建物１を例示する。
【００１２】
一階床２は、一般的には木材、鉄鋼等の床梁に支持された合板、パーティクルボード、コンクリート板、プラスチック板等の床下地上に、木質フローリング、絨毯、合成樹脂板等の床仕上げ材を積層貼着して構成される。そして一階床２により、その上方の建物内部空間３と下方の床下空間４が分離される。
【００１３】
換気キャビネット９は、図１及び図２に示すように、木材、プラスチック、鉄等からなる箱状のシェルター３７の内部に電動ファン６及びフィルタ７を内蔵して構成され、下部に空気取入孔３８を具えるとともに、シェルター３７の両側部には電動ファン６から圧送された空気を送り出す吹出しグリル８を具える。
【００１４】
前記電動ファン６は、シロッコファン、遠心力ファン、軸流ファン、クロスフローファン、等を採用でき、その容量は強運転モードで２００ｍ　３／Ｈ、弱運転モードで１００ｍ　３／Ｈを目安とする。又運転モードとして、不規則に送風量が増減するファジー制御機能を付加することが好ましい。これら各種運転モードは換気キャビネット９内部に装備されたコントローラ（図示せず）により制御される。本実施例の電動ファン６は、図２に示すように、換気キャビネット９の空気取入孔３８から取り込まれる床下空間４の空気を、分岐させて各々反対方向に向く一対の吹出しグリル８から給気する構造を具える。そして、この一対の吹出しグリル８からの給気は、ダンパ（図示せず）の装備により各々選択できるように構成することが好ましい。
【００１５】
前記フィルタ７は、活性炭フィルタ、静電フィルタ、ケミカルフィルタ、オゾンフィルタ、を採用でき、空気取入孔３８と電動ファン６の間に介装される。本実施例のフィルタ７は活性炭７００ｇを使用しており、ＶＯＣ１００ミクロングラム／ｍ３　、ＮＯｘ８２ミクロングラム／ｍ３　において除去率５０パーセントの吸着性能を２年間維持する濾過機能をもつ。又本実施例の換気キャビネット９では、図３に示すように、引き出し式のカートリッジ３９に活性炭を装填する構造を具え、メンテナンスを容易とする。
【００１６】
本発明の換気装置増設方法では、先ず居室３３の一階床２に、建物内部空間３と床下空間４を連通する通気孔５を穿孔する工程を行う。通気孔５の位置は、床梁等の構造材の位置を外して設定することは勿論であるが、導入した外気が建物内部空間３の全般に亘り拡散することによって外気導入による換気効果を高める為、既築建物１の一階床２の比較的中心位置に穿孔するものとする。一階床２の比較的中心位置とは、一階床２の平面視においてその中心に近い位置を言う。通気孔５の形状は、矩形、丸形等とし、穿孔作業には、一階床２の構造により、電動ドリル、電動ノコギリ等の工具を選択して使用する。又通気孔５の周縁には、その補強の為、木桟を添設したり、アルミニウム、プラスチック等の額縁材を取り付けることが好ましい。
【００１７】
次に本発明では、図１及び図２に示すように、換気キャビネット９を装着する居室３３からなる居室空間１０と共用空間１１を仕切る間仕切壁１２に貫通孔１３を穿孔する。該貫通孔１３は前記一階床２に形成した通気孔５に添った位置とし、又換気キャビネット９の吹出しグリル８の高さで、吹出しグリル８が貫挿しうる大きさに形成する。又該貫通孔１３の穿孔には、前記通気孔５の穿孔と同様、間仕切壁１２の構造により、電動ドリル、電動ノコギリ等の工具を選択して使用する。更に貫通孔１３の周縁には、外観を維持する為、アルミニウム、プラスチック等のスリーブ（図示せず）を取り付けることが好ましい。
【００１８】
次に本発明では、前記通気孔５を設けた一階床２上に換気キャビネット９を取り付ける工程を行う。この時、換気キャビネット９の空気取入孔３８を通気孔５に対向させると共に、一方の吹出しグリル８を間仕切壁１２の貫通孔１３に嵌挿させる。そしてこの状態で換気キャビネット９を一階床２又は／及び間仕切壁１２に対し釘、ビス等固着具（図示せず）により固定する。この際アングル等取付金物を使用することもできる。
【００１９】
上記の本発明の換気装置増設方法により外気導入機能を追加した既築建物１においては、図１に示すように、基礎換気孔１４から床下空間４に導入された外気が、通気孔５から換気キャビネット９に吸引されて、居室３３又は／及び共用空間１１へ給気される。居室３３に導入された空気は、その内部空間を循環し、換気キャビネット９の電動ファン６の作用による圧力バランスにより外壁換気口４０から再び屋外へ排出され、居室３３内の換気が促進される。従って、換気キャビネット９を装備する居室３３として、大きな換気量を必要とする、居間、ダイニングキッチン等を選択することが好ましい。
【００２０】
他方、共用空間１１に導入された空気は、廊下、階段室、玄関ホール等共用空間１１を循環した後、換気キャビネット９の電動ファン６の作用による圧力バランスにより、間仕切りドア、欄間の通気ガラリ或いは建具の隙間等から各居室３４、３５、３６内へと循環し、更に外壁換気口４０から再び屋外へ排出され、各居室３４、３５、３６内の換気も確保される。このように共用空間１１を介して各個別空間へ外気が全体的に循環する換気システムが形成され、健康快適な空気環境が維持される。
【００２１】
図４に示す換気装置増設方法では、上記工程に次いで、一階床２の通気孔５と基礎換気孔１４の間に、空気ダクト１５を配管する工程を行う。空気ダクト１５はプラスチック、金属等のものを採用し、一階床２から垂下して保持する。基礎換気孔１４では、その開口面積の１／３乃至１／２において空気ダクト１５の開口を配設し、床下空間４自体の換気機能も維持するものとする。床下空間４は、その地盤の湿潤状況や防湿シートの敷設の有無等条件により環境が異なり、必ずしも清浄ではない。しかしこの換気装置増設方法の採用により、低レベルな環境が懸念される既築建物１に対しても、清浄な外気の導入機能の追加が可能となる。
【００２２】
【発明の効果】
以上説明したように、本発明は、既築建物の一階床の比較的中心位置に、建物内部空間と床下空間を連通する通気孔を穿孔し、次いで電動ファンを内蔵し、下面から外気を導入し、内蔵したフィルタを介して側面の吹出しグリルから供給する換気キャビネットを前記通気孔を設けた一階床上に取付ける。これにより、比較的容易な工事で既築の建築物に対し任意位置に外気の導入を図ることが可能であり、又既築建築物の外観を損なうことがない。
【００２３】
また請求項２記載の発明では、換気キャビネットは既築建物の居室空間に取付けるものとし、該居室空間と廊下、階段室、玄関ホール等の共用空間を仕切る間仕切壁に貫通孔を穿孔し、次いで一対の吹出しグリルを装備した換気キャビネットの一方の吹出しグリルを貫通孔に装着することにより、共用空間への外気導入が同時に可能となり、共用空間を介して各個別空間へ外気が全体的に循環する換気システムが得られる。
【００２４】
また請求項３記載の発明では、一階床に通気孔を穿孔した後、既築建物の既設の基礎換気孔から導入される空気を一階床の通気孔に送る空気ダクトを一階床下空間に配設することにより、必ずしも清浄ではない床下環境内の空気を建物空間内に導入すること防止して外気を直接導入することが可能となる。
【図面の簡単な説明】
【図１】本発明の方法を実施した建築物の概略図。
【図２】換気キャビネットを設置した状態を示す透視図。
【図３】換気キャビネットを設置した状態を示す正面図。
【図４】本発明の異なる実施例を示す建築物の概略図。
【符号の説明】
１　　既築建物
２　　一階床
３　　建物内部空間
４　　床下空間
５　　通気孔
６　　電動ファン
７　　フィルタ
８　　吹出しグリル
９　　換気キャビネット
１０　居室空間
１１　共用空間
１２　間仕切壁
１３　貫通孔
１４　基礎換気孔
１５　空気ダクト
【図１】
2004060993.tif 000003
【図２】
2004060993.tif 000004
【図３】
2004060993.tif 000005
【図４】
2004060993.tif 000006